(57)【要約】【課題】簡易な構造で印象的な照明効果を有する仏壇を提供する【解決手段】本発明に係る仏壇８０は、照明部５０の発光手段５２が点灯すると、背景画像４７が背板部４０の表面紙４４に映し出される。このとき、背景画像４７は半透明の透光性シート４６及び表面紙４４を通して映し出されるため、適度にぼやけ霞がかった幻想的な画像として表面紙４４に浮かび上がる。また、照明部５０からの光を反射板４８で反射して間接的に照射することで、全体的な照度が低下するとともに平均化され背景画像４７はむらなく適度な照度で映し出される。これにより、本発明に係る仏壇８０は仏壇のイメージを損なわない厳かな印象の照明効果をユーザに与えることができる。【選択図】図１
2014036777.tif 000002
【特許請求の範囲】
【請求項１】
本体部に上段と、前記上段の奥に位置する背板部と、を備えた仏壇において、
前記背板部は、最前面に位置する表面紙と、
前記表面紙の奥側の面に設置された半透明の透光性シートと、
前記透光性シートの奥側の面に印刷された背景画像と、
前記透光性シートの奥に設置された照明部と、
前記照明部をオン・オフするスイッチと、を有し、
前記照明部のオン時には前記照明部の光により前記背景画像が透光性シートを通して前記表面紙に映し出されるとともに、
前記照明部のオフ時には前記表面紙側から前記背景画像を目視不能とすることを特徴とする仏壇。
【請求項２】
本体部に固定された灯篭を有することを特徴とする請求項１記載の仏壇。
【発明の詳細な説明】
【技術分野】
【０００１】
本発明は、上段の背板部に背景画像を映し出す照明部を備えた仏壇に関するものである。
【背景技術】
【０００２】
従来、仏壇の照明としては蝋燭が多く用いられてきた。しかしながら、近年、火災等への懸念から、電灯や発光ダイオード等の電気的な照明器具を備えた仏壇が商品化されている。そして、照明の電気化に伴って様々な照明効果を備えた仏壇が商品化されている。
【０００３】
例えば、下記［特許文献１］にはモータで回転する回動板を備え、複数色の光を上方に放射状に照射するとともに、照射光を左右に揺動させる祭壇装置に関する発明が開示されている。
【先行技術文献】
【特許文献】
【０００４】
【特許文献１】特開平６−２４５８５５号公報
【発明の概要】
【発明が解決しようとする課題】
【０００５】
しかしながら、［特許文献１］に開示された発明は装置規模が大きく、製造コストが増大するとともに仏壇本体のスペースを圧迫するという問題点がある。
【０００６】
本発明は上記事情に鑑みてなされたものであり、簡易な構造で印象的な照明効果を有する仏壇を提供することを目的とする。
【課題を解決するための手段】
【０００７】
本発明は、
（１）本体部８に上段３０と、前記上段３０の奥に位置する背板部４０と、を備えた仏壇において、
前記背板部４０は、最前面に位置する表面紙４４と、前記表面紙４４の奥側の面に設置された半透明の透光性シート４６と、前記透光性シート４６の奥側の面に印刷された背景画像４７と、前記透光性シート４６の奥に設置された照明部５０と、前記照明部５０をオン・オフするスイッチ６４と、を有し、
前記照明部５０のオン時には前記照明部５０の光により前記背景画像４７が透光性シート４６を通して前記表面紙４４に映し出されるとともに、
前記照明部５０のオフ時には前記表面紙４４側から前記背景画像４７を目視不能とすることを特徴とする仏壇８０を提供することにより、上記課題を解決する。
（２）本体部８に固定された灯篭３２を有することを特徴とする上記（１）記載の仏壇８０を提供することにより、上記課題を解決する。
【発明の効果】
【０００８】
本発明に係る仏壇は、照明部が点灯すると上段の背面部に背景画像が映し出される。これにより、ユーザに対して印象深い照明効果を与えることができる。
【図面の簡単な説明】
【０００９】
【図１】本発明に係る仏壇の概略構成図である。
【図２】本発明に係る仏壇の背板部の分解斜視図である。
【発明を実施するための形態】
【００１０】
本発明に係る仏壇の実施の形態について図面に基づいて説明する。図１は本発明に係る仏壇８０の概略構成を説明する図である。本発明に係る仏壇８０は従来の仏壇と同様、前面が開口した本体部８を有しており、この開口の左右には開閉可能な障子扉１０及び大戸１２が設置されている。また、本体部８の上部には笠１４等が設置されている。また、本体部８の下部には下台１８等が設置されている。
【００１１】
また、本体部８の内部には最下段に位置する前棚２０と、香炉等を載置する中段２２と、仏像や位牌等を載置する上段３０と、が設置されている。そして、上段３０の奥には、この上段３０の背面となる背板部４０が位置している。
【００１２】
次に、本発明に係る仏壇８０の大きな特徴である背板部４０の構成を図２の分解斜視図を用いて説明する。本発明に係る仏壇８０の背板部４０は、本体部８の開口側から見て最前面に位置する表面紙４４と、表面紙４４の奥側の面（裏面）に設置された半透明の透光性シート４６と、透光性シート４６の奥側の面（裏面）に印刷された背景画像４７と、透光性シート４６の奥側に設置された照明部５０と、照明部５０を間に挟み透光性シート４６と対向するように設置された反射板４８と、を有している。
【００１３】
背板部４０を構成する照明部５０は、電力で発光する発光手段５２を有している。発光手段５２には特に限定は無いが、省スペースで発熱が比較的少なく、長寿命で低消費電力の発光ダイオードを用いることが特に好ましい。ここで、図２に示した照明部５０は発光ダイオードを発光手段５２として用いた照明部５０の一例である。この図２に示す照明部５０は、所定の幅の枠体５４の内側に発光手段５２である発光ダイオードを複数設置している。枠体５４に設置する発光ダイオード（発光手段５２）は上下左右に設置して４方向から枠内を照らすことが好ましいが、上下もしくは左右に設置して２方向から光を照射するようにしても良い。尚、発光手段５２からの光は直接透光性シート４６に照射するのではなく、後述のように反射板４８で反射させ間接的に透光性シート４６に照射することが好ましい。よって、発光手段５２の設置方向は若干反射板４８側に向けて設置することが好ましい。
【００１４】
照明部５０の発光手段５２には、商用電源のコンセントからプラグ６２、回路部６０を介して電力が供給される。尚、回路部６０は商用電源からの電力を発光手段５２に適した所定の電圧の直流電力に変換する機能を備えている。また、照明部５０には、発光手段５２への通電をオン・オフするスイッチ６４が設置されている。このスイッチ６４はユーザが操作可能な仏壇８０の任意の位置に設置される。尚、図１ではスイッチ６４を欄間１９の下に設置した例を示している。
【００１５】
また、背板部４０を構成する表面紙４４には、和紙もしくは和紙を模した半透明のシート部材が用いられる。尚、表面紙４４には透かしや模様等を後述の背景画像４７の表示に邪魔にならない範囲で設けても良い。
【００１６】
また、背板部４０を構成する透光性シート４６は、半透明の合成樹脂製のシートであり表面紙４４の設置面とは逆側の面に背景画像４７が印刷されている。背景画像４７としては富士山や花畑、後光や虹等、どのようなものを用いても良い。また、ユーザが希望の画像を背景画像４７として用いても良い。
【００１７】
また、背板部４０を構成する反射板４８は、光沢面を照明部５０の側に有する紙、シート、板等が用いられる。尚、反射板４８の光沢面は照明部５０からの光を適度に分散、乱反射するものが好ましく、周知の光沢紙やコート紙を用いることが好ましい。また、透光性シート４６から反射板４８までの距離は２ｃｍ程度とすることが好ましい。
【００１８】
次に、本発明に係る仏壇８０の動作を説明する。先ず、照明部５０に接続されているプラグ６２を商用電源のコンセントに差し込む。このとき、スイッチ６４はオフ状態にある。次に、仏壇８０の大戸１２及び障子扉１０を開ける。前述のようにスイッチ６４はオフ状態にあるから、照明部５０には電力が供給されず発光手段５２は消灯している。このとき、背景画像４７は半透明の透光性シート４６及び表面紙４４に遮られ、図１（ａ）に示すように、ユーザはこの背景画像４７を表面紙４４側から目視することができない。
【００１９】
次に、ユーザがスイッチ６４をオンする。これにより、照明部５０に電力が供給され発光手段５２が点灯する。そして、発光手段５２の光は反射板４８にて反射され、背景画像４７側に照射される。これにより、図１（ｂ）に示すように、背景画像４７は半透明の透光性シート４６を通して表面紙４４に映し出され、ユーザはこの背景画像４７を目視することができる。このとき、透光性シート４６及び表面紙４４は半透明であるため、背景画像４７は適度にぼやけ霞がかった幻想的な画像として表面紙４４に浮かび上がる。また、照明部５０からの光を反射板４８で反射して背景画像４７側に間接的に照射することで、全体的な照度が低下するとともに平均化され背景画像４７はむらなく適度な照度で表面紙４４に映し出される。これにより、ユーザからは仏像や位牌の背面に背景画像４７が浮かび上がるように見え、単純な照明と比較してより強い印象をユーザに対し与えることができる。
【００２０】
また、本発明に係る仏壇８０には、本体部８の上方に固定された灯篭３２を有している。本発明に係る仏壇８０では、従来吊下げ式であった灯篭３２を本体部８に固定することで、ユーザ宅における電気配線や灯篭の設置の手間を省くことができる。また、固定式とすることで灯篭の揺れや落下を防止することが可能となり、仏壇８０の輸送時の手間を省くことができる。尚、この灯篭３２内には図示しない発光手段５２が設置され、スイッチ６４をオンすることにより照明部５０と同時もしくは個別に点灯する。
【００２１】
以上のように、本発明に係る仏壇８０は上段３０の背板部４０に照明部５０を有している。そして、照明部５０の発光手段５２が点灯すると、背景画像４７が背板部４０の表面紙４４に映し出される。このとき、背景画像４７は半透明の透光性シート４６及び表面紙４４を通して映し出されるため、適度にぼやけ霞がかった幻想的な画像として表面紙４４に浮かび上がる。また、照明部５０からの光を反射板４８で反射して間接的に照射することで、全体的な照度が低下するとともに平均化され背景画像４７はむらなく適度な照度で映し出される。これにより、本発明に係る仏壇８０は仏壇のイメージを損なわない厳かな印象の照明効果をユーザに与えることができる。
【００２２】
また、背板部４０は表面紙４４、透光性シート４６、照明部５０、反射板４８で主に構成される簡易な構造のため、大幅なコスト増が生じることもない。また、照明部５０が薄いため本体部８のスペースを圧迫することもない。
【００２３】
尚、本発明に係る仏壇８０は、照明部５０に光センサや扉開閉センサを設け、障子扉１０を開けたときに発光手段５２が点灯するようにしても良い。また、照明部５０（回路部６０）に調光機能を設けても良い。
【００２４】
尚、本例で示した仏壇８０は一例であり、仏壇８０、背板部４０を構成する各部の寸法、形状等は、本発明の要旨を逸脱しない範囲で変更して実施することが可能である。
【符号の説明】
【００２５】
８      本体部
３０    上段
３２    灯篭
４０    背板部
４４    表面紙
４６    透光性シート
４７    背景画像
５０    照明部
６４    スイッチ
８０    仏壇
【図１】
2014036777.tif 000003
【図２】
2014036777.tif 000004